【手続補正書】
【提出日】平成23年8月18日(2011.8.18)
【手続補正１】
【補正対象書類名】特許請求の範囲
【補正対象項目名】全文
【補正方法】変更
【補正の内容】
【特許請求の範囲】
【請求項１】
ユーザの端末と接続可能なサーバシステムであって、
所定の特典の付与条件を記憶している付与条件記憶手段と、
商品の識別情報を含む注文予定をユーザごとに記憶する注文予定記憶手段と
を有し、
Ｗｅｂページ中のコンテンツの参照先に係るコンテンツの要求を前記ユーザの端末から受信するコンテンツ要求受信手段と、
前記付与条件を具備しない場合に必要なコストと、前記ユーザの注文予定および前記付与条件から求まる該付与条件を具備するために必要な条件とを含むコンテンツを生成するコンテンツ生成手段と、
前記生成したコンテンツを前記ユーザの端末に送信するコンテンツ送信手段と
を備える
ことを特徴とするサーバシステム。
【請求項２】
請求項１に記載のサーバシステムにおいて、
前記コンテンツ生成手段は、前記付与条件を具備しない場合に必要なコストを含むテンプレートを利用してコンテンツを生成する
ことを特徴とするサーバシステム。
【請求項３】
請求項１又は２に記載のサーバシステムにおいて、
前記付与条件記憶手段は、前記所定の特典の付与条件たる注文金額の下限値を記憶しており、
商品の識別情報に対応させて該商品の単価を少なくとも記憶している商品情報記憶手段をさらに有し、
前記コンテンツ生成手段は、前記ユーザの注文予定に含まれる各商品の単価を前記商品情報記憶手段より抽出し、該各単価を用いて合計金額を算出し、前記付与条件たる注文金額の下限値に対する該合計金額の不足額を含むコンテンツを生成する
ことを特徴とするサーバシステム。
【請求項４】
請求項３に記載のサーバシステムにおいて、
前記不足額より大きい特定の価格帯であって、前記合計金額と前記特定の価格帯に含まれる価格の和が、前記合計金額と前記付与条件を具備しない場合に必要なコストとの和よりも小さい前記特定の価格帯を算出し、前記特定の価格帯の商品に関するリコメンド情報を生成するレコメンド情報生成手段を更に含む
ことを特徴とするサーバシステム。
【請求項５】
請求項１又は２に記載のサーバシステムにおいて、
前記付与条件記憶手段は、前記所定の特典の付与条件たる注文個数の下限値を記憶しており、
前記コンテンツ生成手段は、前記ユーザの注文予定に含まれる商品の合計個数を計数し、前記付与条件たる注文個数の下限値に対する該合計個数の不足数を含むコンテンツを生成する
ことを特徴とするサーバシステム。
【請求項６】
請求項１〜５のいずれかに記載のサーバシステムにおいて、
前記付与条件を具備しない場合に必要なコストは、前記付与条件を具備しない場合にユーザが負担すべき商品配送料であり、
前記所定の特典は、前記商品配送料が無料になるという特典である
ことを特徴とするサーバシステム。
【請求項７】
請求項１〜６のいずれかに記載のサーバシステムにおいて、
商品の指定情報を含むページ要求を前記ユーザの端末から受信するページ要求受信手段と、
前記受信した指定情報に係る商品の識別情報を前記ユーザの注文予定に対応付けて前記注文予定記憶手段に格納する注文予定登録手段と、
コンテンツの参照先を含むＷｅｂページを生成し前記ユーザの端末に送信するページ提供手段と
をさらに備える
ことを特徴とするサーバシステム。
【請求項８】
請求項１〜６のいずれかに記載のサーバシステムにおいて、
商品の指定情報を前記ユーザの端末から受信し、該商品の識別情報を前記ユーザの注文予定に対応付けて前記注文予定記憶手段に格納する注文予定登録手段と、
前記ユーザの端末からの要求に応じて、コンテンツの参照先を含むＷｅｂページを生成し、該ユーザの端末に送信するページ提供手段と
をさらに備える
ことを特徴とするサーバシステム。
【請求項９】
ユーザの端末と接続可能なサーバシステムによる情報提供方法であって、
所定の特典の付与条件を記憶している付与条件記憶手段と、
商品の識別情報を含む注文予定をユーザごとに記憶する注文予定記憶手段と
を有するサーバシステムが、
Ｗｅｂページ中のコンテンツの参照先に係るコンテンツの要求を前記ユーザの端末から受信するコンテンツ要求受信ステップと、
前記付与条件を具備しない場合に必要なコストと、前記ユーザの注文予定および前記付与条件から求まる該付与条件を具備するために必要な条件とを含むコンテンツを生成するコンテンツ生成ステップと、
前記生成したコンテンツを前記ユーザの端末に送信するコンテンツ送信ステップと
を実行する
ことを特徴とする情報提供方法。
【請求項１０】
ユーザの端末と接続可能なサーバシステムにおける情報提供プログラムであって、
所定の特典の付与条件を記憶している付与条件記憶手段と、
商品の識別情報を含む注文予定をユーザごとに記憶する注文予定記憶手段と
を有するサーバシステムに、
Ｗｅｂページ中のコンテンツの参照先に係るコンテンツの要求を前記ユーザの端末から受信するコンテンツ要求受信ステップと、
前記付与条件を具備しない場合に必要なコストと、前記ユーザの注文予定および前記付与条件から求まる該付与条件を具備するために必要な条件とを含むコンテンツを生成するコンテンツ生成ステップと、
前記生成したコンテンツを前記ユーザの端末に送信するコンテンツ送信ステップと
を実行させる
ことを特徴とする情報提供プログラム。
【手続補正２】
【補正対象書類名】明細書
【補正対象項目名】０００２
【補正方法】変更
【補正の内容】
【０００２】
＜先行技術１＞
Ｗｅｂページを閲覧するユーザの属性に応じたバナー広告を、当該ページに表示させる仕組みが知られている（例えば、特許文献１参照）。
具体的には、概ね次の手順により生成したバナー広告をＷｅｂページに表示させる。前提として、素材データ，テンプレート及び表示形態がバナー広告のパターンごとに登録されているものとする（特許文献１の図４〜７，９〜１１等）。また、ユーザ属性とパターンとが関連付けて登録されているものとする（特許文献１の図１５，１６等）。
【手続補正３】
【補正対象書類名】明細書
【補正対象項目名】０００３
【補正方法】変更
【補正の内容】
【０００３】
〔１〕バナー広告閲覧装置から、ユーザの個人情報を受信する（特許文献１の図２０のＳ４０１）。
〔２〕ユーザの個人情報から属性を判断し、パターン番号を特定する（特許文献１の図２０のＳ４０２，Ｓ４０３）。
〔３〕特定したパターンのテンプレートに素材データを埋め込み、表示形態を調整する（特許文献１の図１２のＳ２０２，Ｓ２０３）。
〔４〕画像バナー全体のサイズを調整する（特許文献１の図１２のＳ２０４）。
【手続補正４】
【補正対象書類名】明細書
【補正対象項目名】０００８
【補正方法】変更
【補正の内容】
【０００８】
上記課題を解決するため、本発明は、ユーザの端末と接続可能なサーバシステムであって、所定の特典の付与条件を記憶している付与条件記憶手段と、商品の識別情報を含む注文予定をユーザごとに記憶する注文予定記憶手段とを有し、Ｗｅｂページ中の画像参照に係る画像要求を前記ユーザの端末から受信する画像要求受信手段（コンテンツ要求受信手段）と、前記付与条件を具備しない場合に必要なコストと、前記ユーザの注文予定および前記付与条件から求まる該付与条件を具備するために必要な条件とを含む画像を生成する画像生成手段（コンテンツ生成手段）と、前記生成した画像を前記ユーザの端末に送信する画像送信手段（コンテンツ送信手段）とを備えることを特徴とする。
【手続補正５】
【補正対象書類名】明細書
【補正対象項目名】０００９
【補正方法】変更
【補正の内容】
【０００９】
前記画像生成手段は、前記付与条件を具備しない場合に必要なコストを含むテンプレートを利用して画像を生成するとよい。前記付与条件記憶手段は、前記所定の特典の付与条件たる注文金額の下限値を記憶しており、商品の識別情報に対応させて該商品の単価を少なくとも記憶している商品情報記憶手段をさらに有し、前記画像生成手段は、前記ユーザの注文予定に含まれる各商品の単価を前記商品情報記憶手段より抽出し、該各単価を用いて合計金額を算出し、前記付与条件たる注文金額の下限値に対する該合計金額の不足額を含む画像を生成してもよい。前記付与条件記憶手段は、前記所定の特典の付与条件たる注文個数の下限値を記憶しており、前記画像生成手段は、前記ユーザの注文予定に含まれる商品の合計個数を計数し、前記付与条件たる注文個数の下限値に対する該合計個数の不足数を含む画像を生成してもよい。また、前記不足額より大きい特定の価格帯であって、前記合計金額と前記特定の価格帯に含まれる価格の和が、前記合計金額と前記付与条件を具備しない場合に必要なコストとの和よりも小さい前記特定の価格帯を算出し、前記特定の価格帯の商品に関するリコメンド情報を生成するレコメンド情報生成手段を更に含んでもよい。
【手続補正６】
【補正対象書類名】明細書
【補正対象項目名】００１１
【補正方法】変更
【補正の内容】
【００１１】
また、上記課題を解決するため、本発明は、ユーザの端末と接続可能なサーバシステムによる情報提供方法であって、所定の特典の付与条件を記憶している付与条件記憶手段と、商品の識別情報を含む注文予定をユーザごとに記憶する注文予定記憶手段とを有するサーバシステムが、Ｗｅｂページ中の画像参照に係る画像要求を前記ユーザの端末から受信する画像要求受信ステップ（コンテンツ要求受信ステップ）と、前記付与条件を具備しない場合に必要なコストと、前記ユーザの注文予定および前記付与条件から求まる該付与条件を具備するために必要な条件とを含む画像を生成する画像生成ステップ（コンテンツ生成ステップ）と、前記生成した画像を前記ユーザの端末に送信する画像送信ステップ（コンテンツ送信ステップ）とを実行することを特徴とする。
【手続補正７】
【補正対象書類名】明細書
【補正対象項目名】００１２
【補正方法】変更
【補正の内容】
【００１２】
また、上記課題を解決するため、本発明は、ユーザの端末と接続可能なサーバシステムにおける情報提供プログラムであって、所定の特典の付与条件を記憶している付与条件記憶手段と、商品の識別情報を含む注文予定をユーザごとに記憶する注文予定記憶手段とを有するサーバシステムに、Ｗｅｂページ中の画像参照に係る画像要求を前記ユーザの端末から受信する画像要求受信ステップ（コンテンツ要求受信ステップ）と、前記付与条件を具備しない場合に必要なコストと、前記ユーザの注文予定および前記付与条件から求まる該付与条件を具備するために必要な条件とを含む画像を生成する画像生成ステップ（コンテンツ生成ステップ）と、前記生成した画像を前記ユーザの端末に送信する画像送信ステップ（コンテンツ送信ステップ）とを実行させることを特徴とする。
【手続補正８】
【補正対象書類名】明細書
【補正対象項目名】００２２
【補正方法】変更
【補正の内容】
【００２２】
［（ｂ）バスケットＤＢ］
図２において、バスケットＤＢ１２は、仮想商店街管理サービスにおける「買い物かご」のデータ（注文予定）を記憶するデータベースである。
図３（ｂ）に、注文予定の主要な項目を示す。
図３（ｂ）に示すように、１件の注文予定は、「セッションＩＤ」，「店舗ＩＤ」，「シリアルＩＤ」，「商品ＩＤ」及び「削除フラグ」を含んでいる。
【手続補正９】
【補正対象書類名】明細書
【補正対象項目名】００２３
【補正方法】変更
【補正の内容】
【００２３】
ここで、「セッションＩＤ」は、ユーザ端末２０（ブラウザ）のcookieファイルに記録しておきアクセスの都度送信させるデータであり、少なくともユーザの同一性の識別に利用することができる。「シリアルＩＤ」は、注文予定に登録された商品を識別するための識別情報であり、本実施形態では登録された順に連番の番号を付している。「削除フラグ」は、注文予定に登録された後に削除されたか否かを示すフラグであり、有意のとき削除されていることを示す。
本実施形態では、次の条件を満たす注文予定の集合が、あるユーザが特定の店舗の「買い物かご」に入れている商品に相当する。
・「セッションＩＤ」が共通である。
・「店舗ＩＤ」が共通である。
・「削除フラグ」が有意でない。
【手続補正１０】
【補正対象書類名】明細書
【補正対象項目名】００３３
【補正方法】変更
【補正の内容】
【００３３】
［４−２．注文予定の抽出について］
必要な注文予定は、「セッションＩＤ」と、例えば次のいずれかの方法により特定した所望の「店舗ＩＤ」とを指定することにより、バスケットＤＢ１２より抽出することができる。
・画像参照の参照先ＵＲＬに、パラメータとして店舗ＩＤを付加しておき、画像の要求（図４のＳ４３５）とともに受信した店舗ＩＤを所望の店舗ＩＤとする。
・セッションＩＤに対応付けて、仮想商店街管理サービスにおけるユーザの行動履歴を記録しておき、最後に買い物かごに入れられた商品（注文予定に登録された商品ＩＤ）に係る「取扱店舗ＩＤ」（図３（ａ）参照）を所望の店舗ＩＤとする。
【手続補正１１】
【補正対象書類名】図面
【補正対象項目名】図３
【補正方法】変更
【補正の内容】
【図３】
2011138419.tif 000001
【手続補正１２】
【補正対象書類名】図面
【補正対象項目名】図６
【補正方法】変更
【補正の内容】
【図６】
2011138419.tif 000002
【手続補正１３】
【補正対象書類名】図面
【補正対象項目名】図７
【補正方法】変更
【補正の内容】
【図７】
2011138419.tif 000003
【手続補正１４】
【補正対象書類名】図面
【補正対象項目名】図８
【補正方法】変更
【補正の内容】
【図８】
2011138419.tif 000004
【手続補正１５】
【補正対象書類名】図面
【補正対象項目名】図１０
【補正方法】変更
【補正の内容】
【図１０】
2011138419.tif 000005